(57)【特許請求の範囲】
【請求項１】
第１のプリント基板を保持し固定する第１のフレームと、第２のプリント基板を保持し固定する第２のフレームと、前記第１のフレームに設けられた軸受部と、第２のフレームに設けられた回転軸と、前記回転軸を軸受部に回動可能に嵌めた状態で回動範囲の一端と他端において第１のプリント基板と第２のプリント基板が平行になる状態あるいは垂直になる状態を固定する係止部を第１のフレーム側と第２のフレーム側にそれぞれ設け、前記回動範囲の一端における係止部により前記第１のフレームと第２のフレームを固定した状態で電子機器のキャビネット内に前記第１のフレームと第２のフレームを装着するとともに、前記電子機器のキャビネット外に前記第１のフレームと第２のフレームを取り出した状態において前記回動範囲の他端における係止部により前記第１のフレームと第２のフレームを固定できるようにしたことを特徴とするシャーシ装置。
【請求項２】
第１のプリント基板と第２のプリント基板とをフレキシブルなコネクタにより電気的に接続した請求項１に記載のシャーシ装置。
【請求項３】
第１のプリント基板と第２のプリント基板とを回転構造を持つコネクタにより電気的に接続した請求項１に記載のシャーシ装置。
【請求項４】
軸受部に設けられた第１の係止部と回転軸の取付部に設けられた第２の係止部により、回動範囲の一端と他端において、第１のプリント基板と第２のプリント基板が平行になる状態あるいは垂直になる状態を固定する請求項１に記載のシャーシ装置。
【発明の詳細な説明】
【０００１】
【発明の属する技術分野】
本発明は、テレビジョン受像機，ＶＴＲ（ビデオテープレコーダ）等の電子機器におけるキャビネット内に装着するシャーシ装置に関するものである。
【０００２】
【従来の技術】
近年、多くの機能を有した電子機器が増えており、そのために、プリント基板が大きくなり、また、複数枚のプリント基板を接続することにより、シャーシが大型化している。
【０００３】
このため、工場の組み立てラインが大きくなったり、シャーシの一時保管のために広いスペースが必要になるという問題があった。また、サービスの際にシャーシを立てる際にも大きなスペースをとってしまうという問題があった。
【０００４】
上記の問題を解決するための従来のシャーシ装置について説明する。
図１１は電子機器のキャビネット内に装着される従来のシャーシ装置の斜視図、図１２，図１３は同従来のシャーシ装置の違う状態における一部側面図であり、メインシャーシ１の前面に独立して構成されるプリント基板２をブラケット３で保持し、連結アーム４を介して、ブラケット３をメインシャーシ１が保持されたメインシャーシフレーム５に接続し、また、プリント基板２とメインシャーシ１との接続は、プリント基板２とリード線６で繋がれた中継プリント基板７がコネクタ８でメインシャーシ１と接続されている。ここで、図１２の矢印方向に示すように、メインシャーシフレーム５を後方にずらすことにより連結アーム４とブラケット３の間がスライドし、中継プリント基板７とメインシャーシ１とを繋ぐコネクタ８がはずれて、図１３に示すように、ブラケット３とメインシャーシフレーム５を接続している連結アーム４に設けた回転軸９がメインシャーシフレーム５に設けた軸受部１０のまわりを回動し、結局はブラケット３とメインシャーシフレーム５が回転することになり、ブラケット３を立てた状態に固定するためには、連結アーム４の差込部１１をメインシャーシフレーム５の穴１２に差し込み固定していた。このようにブラケット３とメインシャーシフレーム５を回転させることにより、キャビネット内に装着された状態と、サービス等のために外に取り出す状況等状況に応じてシャーシ装置の形を変えることができ、工場での組み立てラインスペースや保管スペースを小さくすることが可能となる。
【０００５】
【発明が解決しようとする課題】
しかしながら、上記のような従来のシャーシ装置では、プリント基板２，ブラケット３，メインシャーシ１，メインシャーシフレーム５，コネクタ８のほかに、連結アーム４，中継プリント基板７，リード線６という多くの部品が必要であり、また、そのために、組み立て工数や組み立て自体が複雑になり、回転作業も複雑になるという問題を有していた。また、ブラケット３を立てた際の固定方法も、なんらかの衝撃でブラケット３が浮いてしまうと簡単にはずれて、倒れてしまうという問題も有していた。
【０００６】
本発明は上記課題を解決するもので、簡単な構造でブラケット３を回転可能にし、しかも、ブラケット３を回転させ立たせた際に、確実に、しかも簡単な構造で固定することを目的としている。
【０００７】
【課題を解決するための手段】
本発明のシャーシ装置は、第１のプリント基板を保持し固定する第１のフレームと、第２のプリント基板を保持し固定する第２のフレームと、前記第１のフレームに設けられた軸受部と、第２のフレームに設けられた回転軸と、前記回転軸を軸受部に回動可能に嵌めた状態で回動範囲の一端と他端において第１のプリント基板と第２のプリント基板が平行になる状態あるいは垂直になる状態を固定する係止部を第１のフレーム側と第２のフレーム側にそれぞれ設けたシャーシ装置であり、前記回動範囲の一端における係止部により前記第１のフレームと第２のフレームを固定した状態で電子機器のキャビネット内に前記第１のフレームと第２のフレームを装着するとともに、前記電子機器のキャビネット外に前記第１のフレームと第２のフレームを取り出した状態において前記回動範囲の他端における係止部により前記第１のフレームと第２のフレームを固定できるようにして、衝撃等により影響を受けることなく状況に応じて安定したシャーシ装置の形すなわち第１のプリント基板と第２のプリント基板の関係を得ることができるようにしたものである。
【０００８】
【発明の実施の形態】
本発明の請求項１に記載の発明は、第１のプリント基板を保持し固定する第１のフレームと、第２のプリント基板を保持し固定する第２のフレームと、前記第１のフレームに設けられた軸受部と、第２のフレームに設けられた回転軸と、前記回転軸を軸受部に回動可能に嵌めた状態で回動範囲の一端と他端において第１のプリント基板と第２のプリント基板が平行になる状態あるいは垂直になる状態を固定する係止部を第１のフレーム側と第２のフレーム側にそれぞれ設け、前記回動範囲の一端における係止部により前記第１のフレームと第２のフレームを固定した状態で電子機器のキャビネット内に前記第１のフレームと第２のフレームを装着するとともに、前記電子機器のキャビネット外に前記第１のフレームと第２のフレームを取り出した状態において前記回動範囲の他端における係止部により前記第１のフレームと第２のフレームを固定できるようにしたことを特徴とするシャーシ装置であり、回動範囲の一端と他端において、第１のフレーム側と第２のフレーム側にそれぞれ設けた係止部が互いに係合することにより、第１のプリント基板と第２のプリント基板の関係を確実にする。
【０００９】
本発明の請求項２に記載の発明は、第１のプリント基板と第２のプリント基板とをフレキシブルなコネクタにより電気的に接続した請求項１に記載のシャーシ装置であり、単純な構成のフレキシブルなコネクタにより第１のプリント基板と第２のプリント基板とを電気的に接続した状態で回動できる。
【００１０】
本発明の請求項３に記載の発明は、第１のプリント基板と第２のプリント基板とを回転構造を持つコネクタにより電気的に接続した請求項１に記載のシャーシ装置であり、電気的な接続体と回転構造を有するコネクタにより第１のプリント基板と第２のプリント基板とを電気的に接続した状態で回動できる。
【００１１】
本発明の請求項４に記載の発明は、  軸受部に設けられた第１の係止部と回転軸の取付部に設けられた第２の係止部により、回動範囲の一端と他端において、第１のプリント基板と第２のプリント基板が平行になる状態あるいは垂直になる状態を固定する請求項１に記載のシャーシ装置であり、第１の係止部と第２の係止部が互いに係合することにより第１のプリント基板と第２のプリント基板の関係を固定する。
【００１２】
以下、本発明の実施の形態について、図面を用いて説明する。
（実施の形態１）
図１は本発明のシャーシ装置をキャビネットへ装着した状態の一部切欠斜視図、図２は本発明のシャーシ装置の斜視図、図３の（ａ），（ｂ）は本発明のシャーシ装置の一部斜視図であり、１３はキャビネット１４内に装着されたブラウン管、１５はキャビネット１４内に装着されたシャーシ装置、１６は第１のフレームとしてのメインシャーシフレーム１７に取り付けられた第１のプリント基板としてのメインシャーシ、１８はメインシャーシフレーム１７の前部に形成された軸受部、１９は第２のプリント基板としての前面プリント基板２０を取り付けた第２のフレームとしての前面ブラケット、２１は前面プリント基板２０の面に対して垂直に立ち上がった前面ブラケット１９の回転軸取付部、２２は回転軸取付部２１に設けられ、メインシャーシフレーム１７上に設けられた軸受部１８と嵌まり合う回転軸、２３はメインシャーシ１６と前面プリント基板２０を電気的に接続するフレキシブルなコネクタ、図３の（ａ）における２４，２５はメインシャーシ１６と前面プリント基板２０にコネクタ２３の導線２６の端部を接続固定するコネクタ基部、図３の（ｂ）における２４’，２５’はメインシャーシ１６と前面プリント基板２０を回転自在に機械的に接続すると同時に電気的にも接続するコネクタ２３のコネクタ基部である。
【００１３】
図４，図５，図６は図１，図２のシャーシ装置１５におけるメインシャーシフレーム１７側の軸受部１８と、前面ブラケット１９側の回転軸取付部２１，回転軸２２の関係において各回転状態を示す一部側面図であり、２７，２８は前面ブラケット１９が回転軸２２の回りにメインシャーシフレーム１７に対して回転し、回動範囲の一端である垂直な状態になった時、その状態を固定するために、軸受部１８と回転軸取付部２１のダボ２９にそれぞれ取り付けられ、互いに係合するマジックテープ（登録商標）と呼ばれる係止部、３０，３１は前面ブラケット１９が回転軸２２の回りにメインシャーシフレーム１７に対して回転し、回動範囲の他端である並行な状態になった時、その状態を固定するために、軸受部１８と回転軸取付部２１のダボ２９にそれぞれ取り付けられ、互いに係合するマジックテープ（登録商標）と呼ばれる係止部である。
【００１４】
図４はシャーシ装置１５をサービス等のためにキャビネット１４から外に取り出す場合であり、メインシャーシフレーム１７に対して前面ブラケット１９が垂直になった状態を互いに係合する係止部２７，２８により固定する。図５はシャーシ装置１５をキャビネット１４に装着する場合であり、係止部３０，３１によりメインシャーシフレーム１７と前面ブラケット１９を並行な状態に固定する。図６は図４と図５の途中の回転状態を示している。
【００１５】
（実施の形態２）
図７，図８は上記の実施の形態１における図４，図５，図６の係止部２７，２８および３０，３１と別の実施の形態を示すものであり、係止部以外の構造は実施の形態１と同じである。３２，３３はメインシャーシフレーム１７に対して前面ブラケット１９が垂直になった状態において、軸受部１８と回転軸取付部２１のダボ２９に形成され、互いに嵌合する凸部と凹部、３４はメインシャーシフレーム１７に対して前面ブラケット１９が並行になった状態において、回転軸取付部２１のダボ２９に形成された凹部３３と嵌合する軸受部１８に形成された凸部である。
【００１６】
（実施の形態３）
図９，図１０は上記の実施の形態１における図４，図５，図６の係止部３０，３１と別の実施の形態を示すものであり、係止部３０，３１以外の構造は実施の形態１と同じである。３５，３６はメインシャーシフレーム１７に対して前面ブラケット１９が並行になった状態において、メインシャーシフレーム１７と前面ブラケット１９に形成され、互いに嵌合する凹部と凸部である。
【００１７】
【発明の効果】
以上のように、本発明のシャーシ装置によれば、単純な構造及び部品構成で、第１のプリント基板を保持する第１のフレームと第２のプリント基板を保持する第２のフレームを回転させることができ、また、状況に応じた回転状態を固定することができ、工場のスペースを省スペース化することができ、また、サービスの際も、大きなスペースを必要とすることなくサービスをすることができる。
【図面の簡単な説明】
【図１】本発明の実施の形態１におけるシャーシ装置をキャビネットへ装着した状態の一部切欠斜視図
【図２】本発明の実施の形態１におけるシャーシ装置の斜視図
【図３】本発明の実施の形態１におけるシャーシ装置の一部斜視図
【図４】本発明の実施の形態１におけるシャーシ装置をキャビネットから外に取り出す場合の回転状態を示す一部側面図
【図５】本発明の実施の形態１におけるシャーシ装置をキャビネットに装着する場合の回転状態を示す一部側面図
【図６】本発明の実施の形態１におけるシャーシ装置の図４と図５の途中の回転状態を示す一部側面図
【図７】本発明の実施の形態２におけるシャーシ装置をキャビネットから外に取り出す場合の回転状態を示す一部側面図
【図８】本発明の実施の形態２におけるシャーシ装置をキャビネットに装着する場合の回転状態を示す一部側面図
【図９】本発明の実施の形態３におけるシャーシ装置をキャビネットから外に取り出す場合の回転状態を示す一部側面図
【図１０】本発明の実施の形態３におけるシャーシ装置をキャビネットに装着する場合の回転状態を示す一部側面図
【図１１】従来のシャーシ装置の斜視図
【図１２】従来のシャーシ装置をキャビネットに装着する場合の回転状態を示す一部側面図
【図１３】従来のシャーシ装置をキャビネットから外に取り出す場合の回転状態を示す一部側面図
【符号の説明】
１５  シャーシ装置
１６  メインシャーシ
１７  メインシャーシフレーム
１８  軸受部
１９  前面ブラケット
２０  前面プリント基板
２１  回転軸取付部
２２  回転軸
２３  コネクタ
２７，２８，３０，３１  係止部
２９  ダボ
３２，３４，３６  凸部
３３，３５  凹部
【図１】
0003549970.tif 000002
【図２】
0003549970.tif 000003
【図３】
0003549970.tif 000004
【図４】
0003549970.tif 000005
【図５】
0003549970.tif 000006
【図６】
0003549970.tif 000007
【図７】
0003549970.tif 000008
【図８】
0003549970.tif 000009
【図９】
0003549970.tif 000010
【図１０】
0003549970.tif 000011
【図１１】
0003549970.tif 000012
【図１２】
0003549970.tif 000013
【図１３】
0003549970.tif 000014